(57)【要約】【課題】昇降路内機器に対する作業用の作業台をかご上に容易に仮設、また撤収できるエレベーターのかご上用作業台装置を得る。【解決手段】昇降路にかご２の昇降を案内する案内レールを設け、昇降路内機器の保守作業時等に複数の構成部材１３〜１８を組立てて作業台１２をかご２の上に仮設する。また、分解した構成部材をそれぞれ掛止して保管する保管ブラケットを案内レールに設ける。これによって、昇降路内機器の保守作業等の前後に、構成部材１３〜１８を昇降路外から搬入し、また昇降路外へ搬出する作業が不要となり昇降路内機器の保守作業等の能率を向上する。また、作業台の構成部材１３〜１８を昇降路内に保管するので、昇降路外に保管場所を設ける必要がなく費用を節減する。【選択図】        図３
2004277043.tif 000002
【特許請求の範囲】
【請求項１】
昇降路に立設された案内レールに案内されて昇降するかご、複数の構成部材からなり要時に上記構成部材が組立てられて上記かごの上に仮設される作業台と、上記案内レールに設けられて分解された上記構成部材がそれぞれ掛止される保管ブラケットとを備えたエレベーターのかご上用作業台装置。
【請求項２】
保管ブラケットに設けられた標示板と、この標示板に設けられて上記保管ブラケットに掛止される特定の構成部材に対応した標示とを備えたことを特徴とする請求項１記載のエレベーターのかご上用作業台装置。
【請求項３】
標示板の下端に水平に形成されて保管ブラケットに対して構成部材を着脱するときに、上記構成部材が仮置きされる支持部を備えたことを特徴とする請求項２記載のエレベーターのかご上用作業台装置。
【発明の詳細な説明】
【０００１】
【発明の属する技術分野】
この発明は、昇降路を昇降するかごの上に作業台を仮設して昇降路内機器に対する保守作業等を行うエレベーターのかご上用作業台装置に関する。
【０００２】
【従来の技術】
エレベーターの昇降路内機器の据付・調整作業時、保守作業時に昇降路を昇降するエレベーターのかごの上に作業台を仮設して作業用スペースを形成し、この作業台に作業員が乗って所要の作業が行われる。このような昇降路内作業に対して、従来のエレベーターのかご上用作業台装置では、エレベーターの昇降路外の適宜な保管場所に保管されている作業台の部材を昇降路内のかご上に搬入して作業台が組立てられる。そして、昇降路内作業が終了すると作業台を分解して部材を昇降路から搬出し保管場所に搬送して保管するようになっている。（例えば、特許文献１参照）。
【０００３】
【特許文献１】
特開２０００−１４３１２９号公報（第２頁、図１）
【０００４】
【発明が解決しようとする課題】
従来のエレベーターのかご上用作業台装置では、昇降路内機器に対する保守作業時等に昇降路外の例えば倉庫、エレベーターの機械室、ピット等に設けられた保管場所から作業台の部材を昇降路内のかご上に搬入して組立てる仮設作業が行われる。また、昇降路内機器に対する所要の作業が終了すると作業台を分解して部材を保管場所に搬送する撤収作業が行われる。このため、昇降路内機器に対する保守作業等の前後に煩雑な手数が掛かって昇降路内作業の能率が低下するという問題点があった。
【０００５】
この発明は、かかる問題点を解消するためになされたものであり、昇降路内機器に対する作業時の作業台をかご上に容易に仮設、また撤収できるエレベーターのかご上用作業台装置を得ることを目的とする。
【０００６】
【課題を解決するための手段】
この発明に係るエレベーターのかご上用作業台装置においては、昇降路に立設された案内レールに案内されて昇降するかご、複数の構成部材からなり要時に構成部材が組立てられてかごの上に仮設される作業台と、案内レールに設けられて分解された構成部材がそれぞれ掛止される保管ブラケットとが設けられる。
【０００７】
【発明の実施の形態】
実施の形態１．
図１〜図４は、この発明の実施の形態の一例を示す図で、図１はエレベーター装置を概念的に示す平面図、図２は図１のかご上における作業状態を示す正面図、図３は図２の側面図、図４は図２の作業台の構成部材の保管状態を示す図であり図１の案内レール箇所を矢印Ａから見た図である。
【０００８】
図において、昇降路１を昇降するかご２が設けられ、またかご２と主索（図示しない）によって連結されて昇降路１をかご２とは反対方向に昇降するつり合おもり３が設けられる。また、昇降路１にかご２に隣接した隣接かご４が設けられ、また隣接かご４に対応した隣接つり合おもり５が設けられる。
【０００９】
そして、かご２、隣接かご４にそれぞれ対向して昇降路１に立設されて、対向したかごの昇降を案内するかご用案内レール６が設けられ、またつり合おもり３、隣接つり合おもり５のそれぞれに対向して昇降路１に立設されて対向したつり合おもりの昇降を案内するつり合おもり用案内レール７が設けられる。
【００１０】
また、かご２、隣接かご４は、それぞれ鋼材がロ字状に組立てられたかご枠８、かご枠８内に設けられたかご室９、かご枠８の四隅にそれぞれ設けられてかご用案内レール６に移動自在に係合した案内具１０及びかご室９の出入口を開閉するドア装置１１によって構成される。そして、昇降路１内機器（図示しない）に対する作業時には次ぎに述べる部材によって構成された作業台１２がかご２の上に仮設される。
【００１１】
すなわち、作業台１２はかご枠８の上梁に締結されて立設され上梁の長手両端部寄りにそれぞれ配置された取付部材１３、また一端が取付部材１３に締結されて反ドア装置１１側へ水平に突出して配置され取付部材１３のそれぞれに設けられた桁部材１４及び両側の桁部材１４に両端がそれぞれ支持された三枚の床板部材１５が設けられる。
【００１２】
また、作業台１２には下端が取付部材１３に締結されて取付部材１３のそれぞれに設けられて立設された前部柱部材１６、下端が桁部材１４の突出端寄りに締結されて桁部材１４のそれぞれに設けられて立設された後部柱部材１７並びに両端がそれぞれ前部柱部材１６及び後部柱部材１７に締結されて前部柱部材１６等の上端寄り位置及び高さ方向の中間位置にそれぞれ配置された水平部材１８が設けられる。
【００１３】
そして、かご用案内レール６に一端が締結されてかご２の側面に沿って水平方向に突設された保管ブラケット１９が設けられる。なお保管ブラケット１９は、一部の図示が省略してあるが、取付部材１３等の作業台１２を構成する全ての構成部材のそれぞれに対して配置されて、取付部材１３等の分解された作業台１２の構成部材がそれぞれ着脱自在に掛止される。
【００１４】
上記のように構成されたエレベーターのかご上用作業台装置において、通常時は取付部材１３等の作業台１２を構成する全ての構成部材が分解されて、それぞれの構成部材が保管ブラケット１９にそれぞれ着脱自在に掛止されて図４に示すように保管される。そして、エレベーターの昇降路１内機器に対する据付・調整作業時、保守作業時にかご２の上に作業員が乗り、かご２を保管ブラケット１９に対応した位置に停止する。
【００１５】
次いで、作業台１２の取付部材１３等の構成部材が、保管ブラケット１９から順次取り外されてかご２の上に図２に示すように組立てられて、作業台１２上での作業によって昇降路１内機器に対する所要の作業が行われる。そして、昇降路１内機器に対する作業が終了すると作業台１２を分解して、取付部材１３等の構成部材を撤収して従前の保管ブラケット１９に掛止し、従前の通常時の状態に復帰される。
【００１６】
このため、エレベーターの昇降路１内機器に対する保守作業時等に取付部材１３等の作業台１２を構成する構成部材を昇降路１外の保管場所から昇降路１内のかご２上に搬入する作業を省くことができる。また、昇降路１内機器に対する所要の作業が終了したときに取付部材１３等の作業台１２を構成する構成部材を従前の保管場所に搬送する作業を省くことができる。
【００１７】
したがって、昇降路１内機器に対する保守作業等の前後において、取付部材１３等の作業台１２を構成する構成部材を昇降路１外の保管場所から昇降路１内に搬入し、また従前の保管場所に搬出する作業が不要となり昇降路１内機器に対する保守作業等の能率を向上することができる。また、取付部材１３等の作業台１２を構成する構成部材が昇降路１内に保管されるので、昇降路１外における保管場所を設ける必要がなく費用を節減することができる。
【００１８】
実施の形態２．
図５は、この発明の他の実施の形態の一例を示す図で、図４の要部を拡大して示す斜視図に相当する図であり構成部材の保管状態を分解して示す図である。なお、図５の他は前述の図１〜図４と同様にエレベーターのかご上用作業台装置が構成されている。図において、前述の図１〜図４と同符号は相当部分を示し、取付部材１３等の構成部材が掛止される保管ブラケット１９に標示板２０が設けられる。
【００１９】
そして、標示板２０に対応した保管ブラケット１９に掛止される取付部材１３等の特定の構成部材の部材名又は部材の略図からなる標示２１が設けられる。また、保管ブラケット１９にねじ棒２２が立設されて、それの先端にナット２３がねじ込まれる。また、取付部材１３等の構成部材にねじ棒２２及びナット２３に対応しただるま孔２４が設けられて長手が鉛直方向に配置され、だるま孔２４を介してねじ棒２２及びナット２３によって、保管時に取付部材１３等の構成部材がそれぞれ保管ブラケット１９に締結される。
【００２０】
上記のように構成されたエレベーターのかご上用作業台装置においても、取付部材１３等の作業台１２を構成する全ての構成部材が分解されてそれぞれ保管ブラケット１９に保管される。そして、エレベーターの昇降路１内機器に対する保守作業時等にかご２上での作業によって、保管ブラケット１９に保管された作業台１２の取付部材１３等の構成部材がかご２の上に組立てられる。また、前述の保守作業の終了時に作業台１２の取付部材１３等の構成部材が分解されて保管ブラケット１９に保管される。したがって、詳細な説明を省略するが図５の実施の形態においても、図１〜図４の実施の形態と同様な作用が得られる。
【００２１】
また、図５の実施の形態において、保管ブラケット１９に保管ブラケット１９に掛止される取付部材１３等における特定の構成部材の部材名等の標示２１が設けられた標示板２０が装備される。このため、作業台１２の取付部材１３等の構成部材を取り外して組立てる作業時、また分解して保管する作業時に混乱、手違いを生じることなく、作業を容易に能率よく実施することができる。
【００２２】
また取付部材１３等の構成部材に、ねじ棒２２及びナット２３に対応しただるま孔２４が設けられる。このため、ねじ棒２２からナット２３を取り外すことなく、ナット２３を緩めることによって保管ブラケット１９に対して取付部材１３等の構成部材を着脱することができる。このため、取付部材１３等の構成部材を取り外して組立てる作業時、また分解して保管する作業時に、取付部材１３等の構成部材を保管ブラケット１９に対して容易かつ迅速に着脱することができ作業能率を向上することができる。
【００２３】
実施の形態３．
図６も、この発明の他の実施の形態の一例を示す図で、前述の図５の要部に相当する図である。なお、図６の他は前述の図１〜図４、また図５と同様にエレベーターのかご上用作業台装置が構成されている。図において、前述の図５と同符号は相当部分を示し、標示板２０の下縁部が屈折されて水平に配置された支持部２５が設けられる。また、取付部材１３等の構成部材にねじ棒２２及びナット２３に対応しただるま孔２４が設けられて長手が水平方向に配置される。
【００２４】
上記のように構成されたエレベーターのかご上用作業台装置においても、取付部材１３等の作業台１２を構成する全ての構成部材が分解されてそれぞれ保管ブラケット１９に保管され、エレベーターの昇降路１内機器に対する保守作業時等にかご２上での作業によって保管ブラケット１９に保管された作業台１２の取付部材１３等の構成部材がかご２の上に組立てられる。また、前述の保守作業の終了時に作業台１２の取付部材１３等の構成部材が分解されて保管ブラケット１９に保管される。
【００２５】
また、だるま孔２４が設けられてねじ棒２２からナット２３を取り外すことなく、ナット２３を緩めることによって保管ブラケット１９に対して取付部材１３等の構成部材を着脱することができる。したがって、詳細な説明を省略するが図６の実施の形態においても、図１〜図４の実施の形態及び図５の実施の形態と同様な作用が得られる。
【００２６】
また、標示板２０の下端に支持部２５が設けられて、保管ブラケット１９に対して取付部材１３等の構成部材を着脱するときに、構成部材を支持部２５を支持部２５にいったん仮置きすることができる。このため、取付部材１３等の構成部材を保管ブラケット１９に容易に着脱でき、昇降路１内機器に対する保守作業等の能率を向上することができる。
【００２７】
【発明の効果】
この発明は以上説明したように、昇降路に立設された案内レールに案内されて昇降するかご、複数の構成部材からなり要時に構成部材が組立てられてかごの上に仮設される作業台と、案内レールに設けられて分解された構成部材がそれぞれ掛止される保管ブラケットとを設けたものである。
【００２８】
これによって、エレベーターの昇降路内機器に対する据付・調整作業、保守作業時に作業台を構成する構成部材を昇降路外の保管場所から昇降路内のかご上に搬入する作業を省くことができる。また、昇降路内機器に対する所要の作業が終了したときに作業台の構成部材を従前の保管場所に搬送する作業を省くことができる。したがって、昇降路内機器に対する保守作業等の前後において、作業台の構成部材を昇降路外の保管場所から昇降路に対して搬入、搬出する作業が不要となり昇降路内機器に対する保守作業等の能率を向上する効果がある。また、作業台の構成部材が昇降路内に保管されるので、昇降路外における保管場所を設ける必要がなく費用を節減する効果がある。
【図面の簡単な説明】
【図１】この発明の実施の形態１を示す図で、エレベーター装置を概念的に示す平面図。
【図２】図１のかご上における作業状態を示す正面図。
【図３】図２の側面図。
【図４】図２の作業台の構成部材の保管状態を示す図で、図１の案内レール箇所を矢印Ａから見た図。
【図５】この発明の実施の形態２を示す図で、図４の要部を拡大して示す斜視図に相当する図であり構成部材の保管状態を分解して示す図。
【図６】この発明の実施の形態３を示す図で、前述の図５の要部に相当する図。
【符号の説明】
１  昇降路、２  かご、６  案内レール、１２  作業台、１３  取付部材（構成部材）、１４  桁部材（構成部材）、１５  床板部材（構成部材）、１６  前部柱部材（構成部材）、１７  後部柱部材（構成部材）、１８  水平部材（構成部材）、１９  保管ブラケット、２０  標示板、２１  標示、２５  支持部。
【図１】
2004277043.tif 000003
【図２】
2004277043.tif 000004
【図３】
2004277043.tif 000005
【図４】
2004277043.tif 000006
【図５】
2004277043.tif 000007
【図６】
2004277043.tif 000008